(57)【要約】【課題】  たとえばシーリング材や目地材などを用いる接合処理を行うことなく、簡素な構成にしたがって水栓カバーとカウンターとの間に良好な納まりを実現することのできるユニットバス。【解決手段】  水栓に接続されて横方向へ延びる配管を覆うカウンター（８）と、カウンターに隣接して水栓を覆う水栓カバー（９）とを備えている。水栓カバーは、カウンターの内側面に当接する当接部（９ａ）を有する。当接部は軟質樹脂により形成され、水栓カバーの当接部を除く部分およびカウンターは硬質樹脂により形成されている。【選択図】  図３
2006016748.tif 000002
【特許請求の範囲】
【請求項１】
水栓に接続されて横方向へ延びる配管を覆うカウンターと、
前記カウンターに隣接して前記水栓を覆う水栓カバーとを備え、
前記水栓カバーは、前記カウンターの内側面に当接する当接部を有することを特徴とするユニットバス。
【請求項２】
前記当接部は軟質樹脂により形成され、前記水栓カバーの前記当接部を除く部分および前記カウンターは硬質樹脂により形成されていることを特徴とする請求項１に記載のユニットバス。
【発明の詳細な説明】
【技術分野】
【０００１】
本発明は、ユニットバスに関し、特に浴室壁面に取り付けられる水栓カバーとカウンターとの間の納まりに関するものである。
【背景技術】
【０００２】
ユニットバスの浴室壁面には、たとえば給水配管から吐水配管への給水や給水配管からシャワー配管への給水などを制御するための水栓ユニットが取り付けられている。従来の典型的な形態によれば、給水配管は下センターカバーにより覆われ、シャワー配管は上センターカバーにより覆われ、吐水配管はカウンターにより覆われている。
【０００３】
また、給水配管、吐水配管およびシャワー配管と係脱自在に接続された水栓機構（または、単に「水栓」という）は、水栓カバーにより覆われている。そして、水栓カバーは、上センターカバー、下センターカバーおよびカウンターにそれぞれ隣接するように設けられている。なお、水栓カバーおよびカウンターは、上センターカバーや下センターカバーと同様に、適当な樹脂を用いて成形されるのが一般的である。
【発明の開示】
【発明が解決しようとする課題】
【０００４】
ここで、水栓カバーの側面とカウンターの端面とを単に当接させるような納まりを採用すると、たとえば樹脂成形における抜き勾配、部材の製造誤差や取付けの施工誤差などに起因して水栓カバーの側面とカウンターの端面との間に隙間が発生し易い。そこで、従来技術では、この隙間を介して内部の吐水配管が見えないように、たとえばシーリング材や目地材などを用いて水栓カバーの側面とカウンターの端面との間に接合処理を行う必要があった。
【０００５】
本発明は、前述の課題に鑑みてなされたものであり、たとえばシーリング材や目地材などを用いる接合処理を行うことなく、簡素な構成にしたがって水栓カバーとカウンターとの間に良好な納まりを実現することのできるユニットバスを提供することを目的とする。
【課題を解決するための手段】
【０００６】
前記課題を解決するために、本発明では、水栓に接続されて横方向へ延びる配管を覆うカウンターと、
前記カウンターに隣接して前記水栓を覆う水栓カバーとを備え、
前記水栓カバーは、前記カウンターの内側面に当接する当接部を有することを特徴とするユニットバスを提供する。
【０００７】
本発明の好ましい態様によれば、前記当接部は軟質樹脂により形成され、前記水栓カバーの前記当接部を除く部分および前記カウンターは硬質樹脂により形成されている。
【発明の効果】
【０００８】
本発明では、水栓機構（水栓）に接続されて横方向へ延びる配管（吐水配管）がカウンターにより覆われ、水栓機構を覆う水栓カバーがカウンターに隣接するように設けられ、水栓カバーはカウンターの内側面に当接する当接部を有する。したがって、水栓カバーの当接部がカウンターの内側へ入り込むとともにカウンターの内側面に当接した状態で、水栓カバーとカウンターとが取り合う（係合する）ことになる。
【０００９】
その結果、たとえば樹脂成形における抜き勾配、部材の製造誤差や取付けの施工誤差などの影響を実質的に受けることなく、当接部の作用により水栓カバーとカウンターとの間に内部が見えるような隙間が発生しないため、たとえばシーリング材や目地材などを用いて水栓カバーとカウンターとの間に接合処理を行う必要がない。すなわち、本発明では、たとえばシーリング材や目地材などを用いる接合処理を行うことなく、簡素な構成にしたがって水栓カバーとカウンターとの間に良好な納まりを実現することができる。
【００１０】
なお、本発明では、当接部が軟質樹脂により形成され、水栓カバーの当接部を除く部分およびカウンターが硬質樹脂により形成されていることが好ましい。この構成により、水栓カバーの当接部の外側面（当接面）とカウンターの内側面（当接面）との間に、密閉度の高い所望の当接状態を実現することができる。
【発明を実施するための最良の形態】
【００１１】
本発明の実施形態を、添付図面に基づいて説明する。
図１は、本発明の実施形態にかかるユニットバスにおいて浴室壁面に取り付けられた水栓ユニットおよびその周辺部の構成を概略的に示す図である。また、図２は、図１のユニットバスにおいて水栓ユニットを除く周辺部の構成を概略的に示す図である。また、図３は、水栓カバーの当接部の構成および水栓カバーとカウンターとの係合を概略的に示す図である。
【００１２】
図１および図２を参照すると、本実施形態のユニットバスにおいて、水栓機構（図面の明瞭化のために図２において楕円状の破線で示す）１に接続されて下方へ延びる給水配管、すなわち常温水を供給する給水配管２および高温水を供給する給湯配管３が、浴室壁面Ｗに取り付けられた下センターカバー４により覆われている。また、水栓機構１に接続されて上方へ延びるシャワー配管５が、浴室壁面Ｗに取り付けられた上センターカバー６により覆われている。
【００１３】
さらに、水栓機構１に接続されて横方向（図中水平左側方向）へ延びる吐水配管７が、浴室壁面Ｗに取り付けられたカウンター８により覆われている。また、水栓機構１を覆う水栓カバー９が、下センターカバー４、上センターカバー６およびカウンター８に隣接するように設けられている。給水配管２、給湯配管３、シャワー配管５および吐水配管７と水栓機構１とは、たとえば袋ナット２ａ、３ａ、５ａおよび７ａを介して係脱自在に接続されている。
【００１４】
なお、水栓カバー９には、給水配管（２，３）からシャワー配管５への給水経路の開閉操作を行うシャワー操作部（不図示）、および給水配管（２，３）から吐水配管８への給水経路の開閉操作を行う吐水操作部（不図示）が設けられている。また、水栓カバー９には、給水配管２から供給される常温水と給湯配管３から供給される高温水とを混合して得られる湯水の温度を調節するための湯水温度調節部１０が設けられている。湯水温度調節部１０は、たとえば水平方向軸線廻りに回転可能な円柱状の形態を有する。
【００１５】
このように、水栓機構１および水栓カバー９は水栓ユニットを構成し、給水配管（２，３）とシャワー配管５および吐水配管７との間に介在して、給水配管（２，３）からシャワー配管５への給水および給水配管（２，３）から吐水配管７への給水を制御している。カウンター８および水栓カバー９は、下センターカバー４や上センターカバー６と同様に、適当な樹脂を用いて成形されている。
【００１６】
また、図３を参照すると、水栓カバー９は、カウンター８の内側面に当接する当接部９ａを有する。すなわち、当接部９ａは、カウンター８の端面の形状にほぼ対応した形態を有する。そして、当接部９ａは軟質樹脂により形成され、水栓カバー９の当接部９ａを除く部分およびカウンター８は硬質樹脂により形成されている。したがって、本実施形態では、水栓カバー９の当接部９ａがカウンター８の内側へ入り込むとともにカウンター８の内側面に当接した状態で、カウンター８と水栓カバー９とが係合する（取り合う）ことになる。
【００１７】
その結果、たとえば樹脂成形における抜き勾配、部材の製造誤差や取付けの施工誤差などの影響を実質的に受けることなく、当接部９ａの作用によりカウンター８と水栓カバー９との間に内部が見えるような隙間が発生しないため、たとえばシーリング材や目地材などを用いてカウンター８と水栓カバー９との間に接合処理を行う必要がない。すなわち、本実施形態では、たとえばシーリング材や目地材などを用いる接合処理を行うことなく、簡素な構成にしたがって水栓カバー９とカウンター８との間に良好な納まりを実現することができる。
【００１８】
特に、本実施形態では、上述したように当接部９ａが軟質樹脂により形成され、水栓カバー９の当接部９ａを除く部分およびカウンター８が硬質樹脂により形成されている。したがって、水栓カバー９の当接部９ａの外側面（当接面）とカウンター８の内側面（当接面）との間に、密閉度の高い所望の当接状態を実現することができる。
【図面の簡単な説明】
【００１９】
【図１】本発明の実施形態にかかるユニットバスにおいて浴室壁面に取り付けられた水栓ユニットおよびその周辺部の構成を概略的に示す図である。
【図２】図１のユニットバスにおいて水栓ユニットを除く周辺部の構成を概略的に示す図である。
【図３】水栓カバーの当接部の構成および水栓カバーとカウンターとの係合を概略的に示す図である。
【符号の説明】
【００２０】
１  水栓機構（水栓）
２  給水配管
３  給湯配管
４  下センターカバー
５  シャワー配管
６  上センターカバー
７  吐水配管
８  カウンター
９  水栓カバー
９ａ  水栓カバーの当接部
１０  湯水温度調節部
【図１】
2006016748.tif 000003
【図２】
2006016748.tif 000004
【図３】
2006016748.tif 000005